(57)【要約】【課題】空気調和機の室外機に夜間に雪が降り積もったり、雪が吹き込んで吹き溜まりができたり、室外ファンを破損してしまう事故がしばしば起こる課題に対し、従来防雪フードを取り付けるが、通常運転時に防雪フードが室外風量のダウンを起こし、空気調和機の性能ダウンをする課題があった。【解決手段】空気調和機の室外機１上部に、リンク機構１０をモータ１１で駆動して伸縮自在の防雪フード７を設け、降雪センサ９の信号により、室外ファン４の停止時には防雪フード７を動作させる制御装置を設けることにより、降雪時は室外ファン４、ファンモータ３の故障を防止し、空気調和機の運転動作時には防雪フード７を収納して風量ダウンを起さずに本来の性能を保持することが図れるものである。【選択図】図３
2006300447.tif 000002
【特許請求の範囲】
【請求項１】
室内機と室外機とを分離して設置する空気調和機において、前記室外機に可動式の防雪フードと外気温度を検出する温度検出器とを有し、前記温度検出器による検出温度が設定温度以下であって、かつ、前記室外機のファンが停止状態にあるときに、前記防雪フードが前記室外機の上部を覆うように動作させることを特徴とする空気調和機。
【請求項２】
室内機と室外機を分離して設置する空気調和機において、前記室外機に可動式の防雪フードと降雪を検出する降雪検出器とを有し、前記降雪検出器の出力に基づき積雪信号を出力する積雪信号発生手段により、前記防雪フードが前記室外機の上部を覆うように動作させることを特徴とする空気調和機。
【請求項３】
室外機に温度検知器を有し、室外気温が所定の温度まで上昇したときに防雪フードを収納するようにしたことを特徴とする請求項１又は２記載の空気調和機。
【請求項４】
室内機と室外機とを分離して設置する空気調和機において、前記室外機に設けられている防雪フードを、リモコン等の動作信号により動作させるようにしたこと特徴とする空気調和機。
【発明の詳細な説明】
【技術分野】
【０００１】
本発明は、室内機と室外機を分離して設置する室外機に関し、特に運転停止中に降った雪が室外機に積もって起こる室外ファンの故障事故を予防できるようにした室外空気調和機に関するものである。
【背景技術】
【０００２】
従来、豪雪地域では、空気調和機の室外機に夜間に雪が降り積もったり、雪が吹き込んで吹き溜まりができたり氷柱が室外機まで垂れ下がることがある。このような状態を放置したまま、翌朝、空気調和機を起動させると、室外ファンが破損してしまうという事故がしばしばおこり、豪雪地方、あるいは寒冷地方では冬季に暖房用として空気調和機を使用する場合、上記のような事故を防止するために、室外ファンの吹出口を覆うカバーを取り付ける方法がある。
【０００３】
例えば、図５は従来の方法として、室外機３０の上面の吹出口３１をすっぽりと遮蔽するようにファンガード３２を防雪ダクトとして固定ネジ３３にて装着する例である。
【０００４】
このような防雪ダクトなどを装着するといった対応とは別に、空気調和機自体に雪害防止機能を備えたものが開発されており、例えば、通常の暖房運転モードと、室外ファンだけを運転する積雪運転防止モードとを切り換えるための積雪防止スイッチを設けたものがある（例えば、特許文献１参照）。さらに、冬季の暖房運転期間中における暖房運転停止時に、間欠運転用スイッチで室外ファン運転制御するものが開示されている（例えば、特許文献２参照）。
【特許文献１】特開平１−５４１６２号公報
【特許文献２】特開昭５７−１６９５２７号公報
【発明の開示】
【発明が解決しようとする課題】
【０００５】
しかしながら、上記の従来技術では、ファンガードを設置した場合には、室外機の風量が抵抗により低下して空調能力がわずかながらも低下するが、これが積雪がない時期も設置したままとなり影響する問題がある。もちろん、いちいち着脱するのは手間が掛かる。また、制御で対応するものは、雪が実際に降っていたり、降雪がありそうなときに前もってスイッチを手動により切り換えておかなければならない。このため、スイッチの切り換えを怠っていたようなときに積雪があって翌朝室外ファンを破損してしまう事故が起こる問題がある。
【０００６】
本発明は、上記従来の課題を解決するもので、積雪時、積雪時の翌朝に空気調和機を起動したときの室外ファンの破損事故を確実に防止できるようにした空気調和機を提供するこを目的とする。
【課題を解決するための手段】
【０００７】
前記従来の課題を解決するために、本発明は、室内機と室外機とを分離して設置する空気調和機において、室外機に可動式の防雪フードと外気温度を検出する温度検出器とを有し、温度検出器による検出温度が設定温度以下であって、かつ、室外機のファンが停止状態にあるときに、可動式の防雪フードが自動に室外機の上部を覆うように所定の位置まで動作させる制御手段を設けて構成したものである。
【０００８】
また、本発明は、上記目的を達成するために、室内機と室外機とを分離して設置する空
気調和機において、室外機に可動式の防雪フードと降雪を検出する降雪検出器を有し、室外機のファンが停止状態にあるときに、降雪検出器の出力に基づき積雪信号を出力する積雪信号発生手段により、防雪フードが前記信号により自動にて室外機の上部を覆うように所定の位置まで動作させる制御手段を設けて構成したものである。
【０００９】
これによって、室外機のファンの上に雪が積もることを防ぐことができる。
【発明の効果】
【００１０】
本発明の空気調和機の室外機は、外気の気温が下がり、室外機に雪が降り積もりそうなとき、また深夜など空気調和機の運転を停止しているときでも、室外機の防雪フードが動作して積雪防止対策が自動的に行なわれ、翌朝に室外ファンを起動したときにファンが破損するような事故を防止することができる。また、空気調和機が停止状態にあるときに、実際に降雪が検出されると、自動的に室外機の防雪フードが動作し、室外機のファン周辺に雪が積もることがなくなり、積雪による室外機ファンの破損の被害を未然に防ぐことができる。
【発明を実施するための最良の形態】
【００１１】
第１の発明は、空気調和機が運転停止状態にあるときに、温度検出器により外気温度が検出され、この外気温度と、降雪がありそうな温度として決定された設定温度とが比較され、外気温度が設定温度よりも低い場合に、室外機上部に設けられている防雪フードが動作し、室外ファンの上部に覆い被さる。これにより室外ファンやその近傍に雪が積もることがなく、ファンの破損を未然に防止して通常の運転を開始できるものである。
【００１２】
第２の発明は、空気調和機が運転、及び停止状態にあるときに降雪が検出されると、自動的に室外機上部に設けられている防雪フードが動作し、室外ファンの上部に覆い被さり、これにより室外ファンやその近傍に雪は積もらず、ファンの破損を未然に防止して通常の運転を開始できるものである。
【００１３】
第３の発明は、第１又は２の発明において、室外機に温度検知器を追加、又は兼用して室外気温を検知し、室外気温が所定の温度まで上昇したときに防雪フードを収納するようにしたもので、空気調和機を運転しないうちに気温が上昇したときには降雪がなくなったと判断して、不要な防雪フードを収納することができる。
【００１４】
第４の発明は、降雪があると予想される時、また降雪時、リモコン等の信号により、室外機に設けられている防雪フードが動作し、室外ファン、ファンモータを雪による破損を防止するものである。また、スイッチを切り換えることによって、降雪防止運転制御と通常の運転制御のモードを切り換えることもできる。
【００１５】
以下、本発明の実施の形態について図面を参照しながら説明する。なお、この実施の形態によって本発明が限定されるものではない。
【００１６】
（実施の形態１）
図１は、本発明の実施の形態１における空気調和機の室外機の斜視図であり、図２はその室外機の内部を示す模式図である。図１、図２において、室外機１には下部に圧縮機２、上部にはファンモータ３とファンモータ３に取りつけられた室外ファン４が構成され、室外ファン４により室外熱交換器５を通して吸い込まれた空気は、吹出口６から上方向に吹き出される。室外ファン４の上部には、覆い被さるようにして防雪フード７を設けている。この防雪フード７は、後述する図３に示すように、リンク機構１０を有して伸縮自在に構成され、付属されるモータ１１により自動にて動作するものである。さらに、室外機１の空気の吸い込み側には室外気温を検出する室外温度センサ８、室外機本体１の上部に
は降雪を検出する降雪センサ９が設けられている。
【００１７】
なお、図１、図２は、室外機を２台連結した実施例を示しているが、防雪フードは２台に限らず、１台から複数の室外機の連結にも適用できるものである。
【００１８】
図３と図４は、空気調和機の室外機の側面図で、図３は防雪フード動作して室外ファン上部を覆った状態を示し、図４は、室外機の上部に収納されている通常の状態を示すもので、通常の室外機本体の上部は開放状態である。
【００１９】
防雪フード７は、リンク機構１０をモータ１１で動作させることにより、室外機本体１の上部に覆い被さる構成となっている。防雪フード７は、降雪センサ９による積雪の検知により動作させると確実に室外ファン４への積雪を防止できる。また、室外気温を検知する室外温度センサ８により、降雪の確率が高い状態を判断して防雪フード７を作動させておけば、より確実に積雪を防止できるし、氷結などによって動作できないことなども回避できるようになる。さらに、これらを組み合せて検知してもよいし、それぞれ単独で設けて検知し、制御してもよい。そして、空気調和機が運転されて室外ファン４が作動した時には防雪フード７を収納すれば、送風の障害になることもない。
【００２０】
このようにして、室外機１に雪が降り積もるようなときは、降雪センサ９の動作信号により、深夜など空気調和機の運転を停止しているとき、防雪フード７が動作し、積雪防止対策が自動的に行なわれ、翌朝に室外ファン４を起動したときに、室外ファン４が破損すような事故を防止することが可能となる。なお、室外気温を検出する室外温度センサ８の信号によって、防雪フードをＯＦＦ状態としてもよく、そうすれば従来のような固定防雪フードがファン上部に付属され、防雪フードによるファンの抵抗による風量ダウンはなく、熱交換器本来の性能が確保できる通常運転となる。
【００２１】
また降雪があるときには、リモコン等の動作信号により、防雪フード７を動作させてもよい。降雪時、室外に出ることなく室内からリモコンにて動作させ、室外ファン４の破損防止をすることが可能となる。
【００２２】
一方、空気調和機が停止中であっても、降雪のないときには、防雪フードは動作しない為、通常の制御のままとなる。
【００２３】
尚、防雪フード７の動作に関しては室外熱交換器５の温度を検出するセンサを利用することも可能である。室外熱交換器５の温度センサは、空気調和機の運転停止中、休止している室外熱交換器５の温度の替わりに外気温度を検出することができるので、このようにすることにより、降雪センサ検出回路の接続などが不要となる利点がある。
【００２４】
さらに、防雪フードの形態については図示したものに限らず、伸縮によらないカバーの移動などでもよい。
【産業上の利用可能性】
【００２５】
以上のように、本発明にかかる空気調和機の室外機は、室外ファン、ファンモータ上部に防雪フードを信号により自動動作させることにより、運転停止中に降った雪が室外機に積もって起こる室外ファン、室外ファンモータの故障事故を予防することが可能となる。
【図面の簡単な説明】
【００２６】
【図１】本発明の実施の形態１における空気調和機の室外機の斜視図
【図２】同室外機の模式図
【図３】同室外機の防雪フード動作時の側面図
【図４】同室外機の防雪フード収納時の側面図
【図５】従来の空気調和機の防雪フード付属室外機の側面図
【符号の説明】
【００２７】
１  室外機
４  室外ファン
７  防雪フード
８  室外温度センサ
９  降雪センサ
【図１】
2006300447.tif 000003
【図２】
2006300447.tif 000004
【図３】
2006300447.tif 000005
【図４】
2006300447.tif 000006
【図５】
2006300447.tif 000007